(57)【要約】      （修正有）【課題】簡潔な機構で強度、剛性に富み円滑な動作をする家具用の昇降装置を提供する。【解決手段】キャスタ３を備えた基枠１と、基枠に上下動可能に設けられた可動枠２とを備え、基枠は、垂直向きのネジ軸４およびネジ軸に螺合されたナットを有する昇降ブロック５と、昇降ブロックの左右両側に一端部が枢着された左右一対の揺動体６、７と、揺動体の他端部に軸支結合されて基枠の前後方向に延びた左右の伝動体８、９と、伝動体に連結され揺動体の動作に従動して基枠の左右方向に沿ってスライドするように配置された左右の従動体１０ａ〜１０ｄを有し、可動枠は、上端部が基枠側に固定枢着され、下端部が従動体の外端部に結合された左右で対称姿勢の平行リンク３１〜３４とを有して成り、ネジ軸の回転が左右の揺動体、伝動体を介して従動体のスライド運動に変換され左右の平行リンクの姿勢を起伏させることにより、可動枠を基枠に対して昇降させるようにした。【選択図】図１
2014104084.tif 000002
【特許請求の範囲】
【請求項１】
家具本体の底部にあってキャスタを備えた昇降装置の基枠と、該基枠に上下動可能に設けられた可動枠とを備えた昇降装置であって、
前記基枠は、垂直向きのネジ軸およびこのネジ軸に螺合されたナットを有する昇降ブロックと、該ブロックの左右両側に一端部が枢着された左右一対の揺動体と、これら揺動体の他端部に軸支結合されて基枠の前後方向に延びた左右の伝動体と、基枠の前後端部において前記伝動体に連結され前記揺動体の動作に従動して基枠の左右方向に沿ってスライドするように配置された左右の従動体を有しており、
前記可動枠は、当該可動枠の前後端部において前記従動体の動作をガイドするためこの基枠の左右方向に沿って設けたガイド長穴を有する支持枠と、上端部が上記基枠側に固定枢着される一方、下端部が前記支持枠が有する水平な長穴にスライド自在に支持され、かつ、前記従動体の外端部に結合された左右で対称姿勢の平行リンクとを有して成り、
前記ネジ軸の回転によって動作する前記左右の揺動体の他端側の動作が、伝動体を介して前記従動体のスライド運動に変換され左右の平行リンクの姿勢を起伏させることにより、前記可動枠を基枠に対して昇降させるようにしたことを特徴とする昇降装置。
【請求項２】
ネジ軸は前記基枠の略中心部に設けた請求項１に記載の昇降装置。
【請求項３】
昇降ブロックに上端が軸枢着された左右一対の揺動体は、前記枢着軸に沿った方向で幅広のほぼ翼状に形成した請求項１又は２に記載の昇降装置。
【発明の詳細な説明】
【技術分野】
【０００１】
本発明は移動用キャスタを備えた家具に適用して好適な昇降装置に関し、具体的には簡潔な構造で強度、剛性に富み円滑な動作ができる家具用の昇降装置に関する。
【背景技術】
【０００２】
従来から、棚等の家具の下に設置する昇降装置として、例えば特許文献１のねじ式ジャッキ装置がよく知られている。このねじ式ジャッキ装置は、ハンドルを回転させて平行に配置したくの字状の２連リンクを開閉することにより、据え付け用接地体に昇降動作をさせるものである。
【０００３】
一方、他の機構を有する昇降装置として、例えば特許文献２の台輪装置が知られている。この台輪装置は、装置中央に平面から見てパンタグラフ状をなすパンタグラフジャッキを配置し、当該パンタグラフジャッキの開閉動作によりリンクアームを介してカムを回転させることで台輪板に昇降動作をさせるものである。
【０００４】
これらの従来の昇降装置は、前述のように、移動用キャスタが固定された昇降装置基体と、リンク機構を介して上下動される接地体から構成されており、家具を移動させる際には接地体を上昇させてキャスタを接地させ、接地したキャスタによって家具を移動させ、家具を固定する際には上昇させていた前記接地体を降下させて床面等に接地させ、当該家具を固定的に支持することができるようにしたものである。
【０００５】
前述のように従来装置は、設けられたハンドル等を回転させることによって接地体を昇降させるものであるが、ハンドルの回転運動を、接地体が昇降するため直線運動に変換するために複雑なリンク機構を不可欠としていた。しかも昇降装置は家具等の最下部に設置される装置であるから、必然的に家具の重量に耐えられる強度や剛性が求められるが、複雑なリンク機構を介入させて強度や剛性を確保することは相当に難しく、それ故に昇降装置のコスト高との原因にもなっている。
【先行技術文献】
【特許文献】
【０００６】
【特許文献１】特許第３０５１８７７号公報
【特許文献２】特開平１１−３３４３０６号公報
【発明の概要】
【発明が解決しようとする課題】
【０００７】
そこで本発明は、上記の家具用昇降装置の現状に鑑み、簡潔な機構で強度、剛性に富み円滑な動作をする家具用の昇降装置を提供することをその課題として完成されたものである。
【課題を解決するための手段】
【０００８】
すなわち、上記課題を解決することを目的としてなされた本発明昇降装置の構成は、家具本体の底部にあってキャスタを備えた昇降装置の基枠と、該基枠に上下動可能に設けられた可動枠とを備えた昇降装置であって、
前記基枠は、垂直向きのネジ軸およびこのネジ軸に螺合されたナットを有する昇降ブロックと、該ブロックの左右両側に一端部が枢着された左右一対の揺動体と、これら揺動体の他端部に軸支結合されて基枠の前後方向に延びた左右の伝動体と、基枠の前後端部において前記伝動体に連結され前記の揺動体の動作に従動して基枠の左右方向に沿ってスライドするように配置された左右の従動体を有しており、
前記可動枠は、当該可動枠の前後端部において前記従動体の動作をガイドするためこの基枠の左右方向に沿って設けたガイド長穴を有する支持枠と、上端部が上記基枠側に固定枢着される一方、下端部が前記支持枠の長穴にスライド自在に支持され、かつ、前記従動体の外端部に結合された左右で対称姿勢の平行リンクとを有して成り、
前記ネジ軸の回転によって動作する前記左右の揺動体の他端側の動作が、伝動体を介して前記従動体のスライド運動に変換され左右の平行リンクの姿勢を起伏させることにより、前記可動枠を基枠に対して昇降させるようにしたことを特徴とするものである。
【０００９】
上記昇降装置において、ネジ軸は基枠の略中心部に配置することが好ましい。基枠と可動枠の前後端部に位置するリンクを用いた昇降機構にバランスよく昇降力を伝達するためである。また、ネジ軸は、該軸に着脱自在にしたクランク状のハンドルで回転させるとよい。
【００１０】
本発明において、ネジ軸の回転によってネジ上を上下動する昇降ブロックに上端部が枢着されていることにより、下端側が揺動しつつ進退する左右一対の揺動体は、その進退方向に直交する向きの幅を幅広（ほぼ翼状）に形成することが好ましい。この揺動体に結合された伝動体の剛性や円滑動作を確保する上で有利になるからである。
【発明の効果】
【００１１】
本発明によれば、基枠の略中心における昇降ブロックの上下動によって作動する左右一対の揺動体の動作を、この揺動体に軸支結合された左右の伝動体に伝達し、この伝動体の動作を、上端を基枠の前後端部に設けた梁フレームに固定枢着した平行リンクの下端部を長穴でガイドする支持枠に支持され、かつ、当該平行リンクの下端部に連結された従動体に伝達するようにして可動枠を上下動させる昇降機構としたので、昇降装置としての構造がシンプルで済み、それ故に剛性が高く円滑な動作が可能な昇降装置を提供することができる。
【図面の簡単な説明】
【００１２】
【図１】本発明昇降装置の一例における透視斜視図。
【図２】図１の昇降装置において、可動枠が上昇位置にある状態の正断面図。
【図３】図１の昇降装置において、可動枠が降下位置にある状態の正断面図。
【発明を実施するための形態】
【００１３】
次に本発明の実施の一例について、図を参照しつつ説明する。
【００１４】
図１〜３に示すように、本発明昇降装置ＥＶは、略四隅にキャスタ３を備えた平面視矩形状の昇降装置の基枠１と当該基枠１の外形より少し大きい平面外形を有する可動枠２から構成されている。
【００１５】
上記基枠１は、平面矩形の木質系の天板１１と、天板１１の四隅に垂下させて設けた４本の縦枠１２と、前記天板１１の下面の前後（図２，図３の紙面に垂直な方向）に設けた中空角型断面の梁フレーム１３，１４と、該梁フレーム１３，１４よりも天板１１の内側において４個のキャスタ３を所要の高さで固定するためのキャスタ支持ブロック１５とを備えている。
【００１６】
前記基枠１は、上記天板１１の略中央部の下面に、ネジ軸４を回転可能に支持するために、鋼板をボックス状に形成した軸受ブロック４１が設けられ、該ブロック４１に支持されたネジ軸４には、中心部にナット５１を有する昇降ブロック５が螺装されている。昇降ブロック５は内部にナット５１を抱かせて鋼板を曲げ加工して形成したものである。
【００１７】
上記昇降ブロック５の左，右側には、一端部を水平な軸６１，７１で枢着した左右で一対の揺動体６，７が設けられている。揺動体６，７の他端部には、前記軸６１，７１と平行な向きで当該揺動体６，７の前，後方向（図２，図３の紙面に垂直な方向）に延びその先端部が天板１１の前後端部近くまで延びた略棒状の伝動体８，９が軸支結合されている。ここで、軸支結合とは、揺動体６，７の先端部と伝動体８，９の結合部が回転フリーの関係にあることをいう。前記揺動体６，７も鋼板により形成されている。
【００１８】
左右の棒状伝動体８，９における長手方向の両端部には、天板１１の前後の側端部に沿った向き（揺動体６，７と同じ向き、前記梁フレーム１３，１４に直交する向き）で配置された断面を下向きコ状に形成した鋼板製の２組の従動体１０ａ，１０ｂと従動体１０ｃ，１０ｄとが結合されている。前記伝動体８，９は、ここでは丸棒製の芯体を、捩れ防止用の断面略クランク状に曲げた鋼板で一体化している。
【００１９】
上記従動体１０ａ，１０ｂと同１０ｃ，１０ｄは、この後に説明する可動枠２の前後端部に設けた断面略Ｕ状の溝状ガイド２１と２２の溝内にスライド可能に配置される。上記従動体１０ａ〜１０ｄ、並びに、溝状ガイド２１，２２はいずれも鋼板により形成したものである。
【００２０】
可動枠２は、前記基枠１における四隅に下向きに垂設した柱状の４本の縦枠１２を外側から抱持し、かつ、縦枠１２に沿って上下動可能なように断面Ｌ状の４本の枠材２ａ〜２ｄを四角形に組上げて形成されている。この可動枠２の内側の前後端部には、上記の溝状ガイド２１，２２が設けられている。この溝状ガイド２１，２２は、先に述べた天板１１に設けた梁フレーム１３，１４と対面した位置関係にある。可動枠２の外周立壁面は巾木部となる。
【００２１】
前記、溝状ガイド２１，２２の外側面には、断面が浅い略コ状をなすように形成された補強板２１ａ，２１ｂ、同２２ａ，２２ｂが当てがわれて一体化されている。これらの補強板２１ａ，２１ｂ、同２２ａ，２２ｂを通して当該溝状ガイド２１，２２には、その長手方向に沿い、かつ、ネジ軸４に関して対称な位置に、２個を一組とする長穴で左右対称な向きの長穴２３と２４が設けられている。なお、溝状ガイド２１，２２と補強板２１ａ〜２２ｂは、もとより一体の鋼板で形成したものであってもよい。
【００２２】
基枠１の梁フレーム１３と１４には、軸６１，７１と平行な軸３１ａ，３２ａと軸３３ａ，３４ａによって上端部が定位置に枢着された２個を一組とする平行リンク３１，３２と、このリンク３１，３２と対称な態様の平行リンク３３，３４が設けられている。
【００２３】
基枠１の梁フレーム１３，１４に上端部が定位置に枢着された平行リンク３１，３２と同３３，３４は、それぞれの下端部が、前記補強板２１ａ〜２２ｂを含む溝状ガイド２１，２２の長穴２３と２４に、可動軸３１ｂ，３２ｂ、同３３ｂ，３４ｂにより当該長穴２３と２４に沿って移動可能に結合されている。
【００２４】
上記平行リンク３１〜３４の連結構成によって、本発明昇降装置の基枠１と可動枠２は、基枠１と可動枠２の前後部位において、左右対称に配置された可動する平行リンク３１，３２、同３３，３４によって、可動枠２が基枠１に対して上下動可能に連結されることになる。
【００２５】
そして、基枠１と可動枠２を連結した平行リンク３１〜３４は、回転させられるネジ軸４によって当該軸上を上，下動する昇降ブロック５の動作が、左右の揺動体６，７から伝動体８，９、従動体１０ａ〜１０ｄを介してこの平行リンク３１〜３４の下端部の軸３１ｂ〜３４ｂに伝達される。これによって当該リンク３１〜３４は上端部の固定枢着点（軸３１ａ〜３４ａ）を中心に揺動させられるから、この動作によって可動枠２が基枠１に対して上下動する。
【００２６】
本発明昇降装置は、ネジ軸４をその上端に着脱されるクランク型のハンドルＨを回転操作することにより、可動枠２に上昇位置と降下位置を選択することができるので、可動枠２の上昇位置ではキャスタ３が接地して家具本体をキャスタの作用で軽く移動させることができ、降下位置では可動枠２の底が接地するから、当該家具を安定に設置できることになる。
【００２７】
なお、ハンドルＨは、一例として可動枠２が図２の上昇位置では、正回転（時計回り方向）すると、昇降ブロック５が降下し、図３の降下位置では逆回転（反時計回り方向）すると、降下していた昇降ブロック５が上昇して図２の状態になる。
【００２８】
本発明昇降装置は、以上の通りであって、構成部材の殆んどが鋼板により形成されており、また可動部は、ネジ軸と昇降ブロック、及び、揺動体，伝動体，従動体と基枠の前後で４組の平行リンクから成るシンプルな構成であるから、必要な剛性を確保しやすい上に、動作が円滑であるという利点が得られる。
【符号の説明】
【００２９】
ＥＶ  本発明昇降装置
１  基枠
２  可動枠
３  キャスタ
４  ネジ軸
５  昇降ブロック
６，７  揺動体
８，９  棒状伝動体
１０ａ〜１０ｄ  従動体
１２  縦枠
１３，１４  梁状フレーム
２１，２２  溝状ガイド
２３，２４  長穴
３１，３２，３３，３４  平行リンク
３１ａ〜３４ａ  固定枢着部
３１ｂ〜３４ｂ  可動軸
【図１】
2014104084.tif 000003
【図２】
2014104084.tif 000004
【図３】
2014104084.tif 000005